(57)【要約】【課題】  排紙トレイに排紙された印刷用紙を、その印刷用紙の持ち主（当該印刷を実行した人）以外が持ち去ることを防止できる画像形成装置を提供する。【解決手段】  表示手段（５０）と、排紙された印刷用紙の有無を検出可能な排紙トレイ（１０ａ）と、印刷ジョブに付けられた所定の識別子と該印刷ジョブにより排紙された排紙トレイ（１０ａ）における印刷用紙の有無の検知状態に応じて表示手段（５０）における出力を変化させる制御手段（２０）とを有する。【選択図】        図１
2005154111.tif 000002
【特許請求の範囲】
【請求項１】
表示手段と、
排紙された印刷用紙の有無を検出可能な排紙トレイと、
印刷ジョブに付けられた所定の識別子と該印刷ジョブにより排紙された排紙トレイにおける印刷用紙の有無の検知状態に応じて前記表示手段における出力を変える制御手段と、を有する
ことを特徴とする画像形成装置。
【請求項２】
前記所定の識別子と送信元に関する情報とが対応付けられており、
前記制御手段は、前記排紙トレイから印刷用紙の除去を検知すると、当該排紙トレイに割り当てられた印刷ジョブに付けられた所定の識別子を基に、対応する送信元に関する情報を前記表示手段に表示させる
ことを特徴とする請求項１に記載の画像形成装置。
【請求項３】
警告音を発する報知手段と、
排紙された印刷用紙の有無を検出可能な排紙トレイと、
印刷ジョブに付けられた所定の識別子と該印刷ジョブにより排紙された排紙トレイにおける印刷用紙の有無の検知状態に応じて前記報知手段における出力を変える制御手段と、を有する
ことを特徴とする画像形成装置。
【請求項４】
前記所定の識別子と対応づけられる解除用識別子の入力を受ける入力手段を有し、
前記制御手段は、前記排紙トレイから印刷用紙の除去を検知した後、前記入力手段より入力された前記解除用識別子が、前記印刷用紙が除去された排紙トレイに割り当てられた印刷ジョブに付けられた所定の識別子と対応するものであると判定された場合、前記出力の態様を元に戻す
ことを特徴とする請求項１から請求項３のいずれかに記載の画像形成装置。
【請求項５】
経過時間を計時する計時手段を有し、
前記制御手段は、前記計時手段により計時された所定時間の経過前に、印刷用紙が取り除かれた印刷トレイにて印刷用紙を検知すると、前記出力の態様を元に戻す
ことを特徴とする請求項１から請求項４のいずれかに記載の画像形成装置。
【請求項６】
前記排紙トレイは複数有り、
前記制御手段は、送信元の異なる印刷ジョブ毎に排紙する排紙トレイを替え、同一の送信元の印刷ジョブに対しては先に排紙している排紙トレイに、先にした排紙の位置とずらした位置に排紙する制御をする
ことを特徴とする請求項１から請求項５のいずれかに記載の画像形成装置。
【請求項７】
前記制御手段は、排紙トレイのすべてが使用中である場合、排紙トレイに割り当てられてない送信元の印刷ジョブは待ち状態とし、少なくとも１つの排紙トレイから印刷用紙が取り除かれ所定時間経過すると待ち状態の印刷ジョブを実行する
ことを特徴とする請求項６に記載の画像形成装置。
【請求項８】
前記制御手段は、受信した印刷ジョブを所定の条件に従って、他の画像形成装置に振り分け転送する制御をする
ことを特徴とする請求項１から請求項７のいずれかに記載の画像形成装置。
【発明の詳細な説明】
【技術分野】
【０００１】
本発明は、複写機、印刷装置、ファクシミリ装置、これらの複合機等の画像形成装置に関する。
【背景技術】
【０００２】
一般の画像形成装置では、複数の人が同時期に印刷を実行した場合、使用する排紙トレイを個別に指定できる場合を除いて、排紙トレイに複数の印刷ジョブに基づいた印刷・排紙がなされ、結果、それぞれの用紙がまざってしまっているのが現状である。
また、ネットワークを利用した印刷では、印刷ジョブが利用者の意思とは無関係にいずれかの出力ビンに割り振られるために、どの出力ビンに印刷ジョブが出力されたかが不明になるといった問題があった。このことから、特許文献１に開示の技術では、印刷ジョブが自動的に何れかの出力ビンに割り振られても、この印刷ジョブに付加した識別データに基づいて、同印刷ジョブが出力された出力ビンを認識可能とし、さらには、施錠可能な出力ビンを用いて利用者本人のみが印刷用紙を取り出せるようにしている。
【特許文献１】特開２００１−２６５５６１号公報
【発明の開示】
【発明が解決しようとする課題】
【０００３】
従来では、印刷用紙がまざってしまうと、所有者が明確でなくなる場合がある。そして、排紙された用紙を所有者以外が持ち去り、所有者が自分の印刷用紙を得ることができない事態も起きてしまう。また、特許文献１の技術は、ネットワークに接続された１つ以上の複数の出力ビンを有する印刷装置に印刷出力された出力ビンを、表示手段にて示すことでこれを特定できるようにしてるが、上記のように施錠可能な出力ビンを用いない場合は、第３者が誤って持ち去ることを防止できない。
【０００４】
本発明は、上記の点に鑑みてなされたもので、排紙トレイに排紙された印刷用紙を、その印刷用紙の持ち主（当該印刷を実行した人）以外が持ち去ることを防止できる画像形成装置を提供することを目的とする。
【課題を解決するための手段】
【０００５】
上記課題を解決するため、請求項１に記載の発明の画像形成装置は、表示手段と、排紙された印刷用紙の有無を検出可能な排紙トレイと、印刷ジョブに付けられた所定の識別子と該印刷ジョブにより排紙された排紙トレイにおける印刷用紙の有無の検知状態に応じて前記表示手段における出力を変える制御手段と、を有することを特徴としている。
【０００６】
また、請求項２に記載の発明は、請求項１に記載の画像形成装置において、前記所定の識別子と送信元に関する情報とが対応付けられており、前記制御手段は、前記排紙トレイから印刷用紙の除去を検知すると、当該排紙トレイに割り当てられた印刷ジョブに付けられた所定の識別子を基に、対応する送信元に関する情報を前記表示手段に表示させることを特徴としている。
【０００７】
また、請求項３に記載の発明の画像形成装置は、警告音を発する報知手段と、排紙された印刷用紙の有無を検出可能な排紙トレイと、印刷ジョブに付けられた所定の識別子と該印刷ジョブにより排紙された排紙トレイにおける印刷用紙の有無の検知状態に応じて前記報知手段における出力を変える制御手段と、を有することを特徴としている。
【０００８】
また、請求項４に記載の発明は、請求項１から請求項３のいずれかに記載の画像形成装置において、前記所定の識別子と対応づけられる解除用識別子の入力を受ける入力手段を有し、前記制御手段は、前記排紙トレイから印刷用紙の除去を検知した後、前記入力手段より入力された前記解除用識別子が、前記印刷用紙が除去された排紙トレイに割り当てられた印刷ジョブに付けられた所定の識別子と対応するものであると判定された場合、前記出力の態様を元に戻すことを特徴としている。
【０００９】
また、請求項５に記載の発明は、請求項１から請求項４のいずれかに記載の画像形成装置において、経過時間を計時する計時手段を有し、前記制御手段は、前記計時手段により計時された所定時間の経過前に、印刷用紙が取り除かれた印刷トレイにて印刷用紙を検知すると、前記出力の態様を元に戻すことを特徴としている。
【００１０】
また、請求項６に記載の発明は、請求項１から請求項５のいずれかに記載の画像形成装置において、前記排紙トレイは複数有り、前記制御手段は、送信元の異なる印刷ジョブ毎に排紙する排紙トレイを替え、同一の送信元の印刷ジョブに対しては先に排紙している排紙トレイに、先にした排紙の位置とずらした位置に排紙する制御をすることを特徴としている。
【００１１】
また、請求項７に記載の発明は、請求項６に記載の画像形成装置において、前記制御手段は、排紙トレイのすべてが使用中である場合、排紙トレイに割り当てられてない送信元の印刷ジョブは待ち状態とし、少なくとも１つの排紙トレイから印刷用紙が取り除かれ所定時間経過すると待ち状態の印刷ジョブを実行することを特徴としている。
【００１２】
また、請求項８に記載の発明は、請求項１から請求項７のいずれかに記載の画像形成装置において、前記制御手段は、受信した印刷ジョブを所定の条件に従って、他の画像形成装置に振り分け転送する制御をすることを特徴としている。
【発明の効果】
【００１３】
以上説明したように、本発明によれば、印刷ジョブに付けられた所定の識別子と該印刷ジョブにより排紙された排紙トレイにおける印刷用紙の有無の検知状態に応じて、前記表示手段における出力または報知手段における出力を変えるので、利用者が当該画像形成装置から、排紙された印刷用紙を回収する際、注意を促すことができる。
【００１４】
また、本発明によれば、排紙トレイから印刷用紙が取り除かれると、当該排紙トレイに割り当てられた印刷ジョブに付けられた所定の識別子を基に、対応する送信元に関する情報を表示するので、当該印刷用紙を取った者に、その用紙の所有者を認識させることができる。
【００１５】
また、本発明によれば、入力された解除用識別子が、印刷用紙が除去された排紙トレイに割り当てられた印刷ジョブに付けられた所定の識別子と対応するものであると判定された場合、または、所定時間の経過前に、印刷用紙が取り除かれた印刷トレイにて印刷用紙を検知した場合に、前記出力の態様を元に戻す。すなわち、これらの条件が満たされるまで、変えられた出力の態様（これは、利用者に注意を促す態様であることが好ましい）が継続するので、正当な所有者以外が排紙された印刷用紙を持ち去ることを防止できる。この解除用識別子を、印刷出力させた者のみわかる識別子を用いることで、正当な所有者により排紙された印刷用紙が回収されたか、第３者により回収されたのか判別することもできる。
【００１６】
また、本発明によれば、送信元の異なる印刷ジョブ毎に排紙する排紙トレイを替え、同一の送信元の印刷ジョブに対しては先に排紙している排紙トレイに、先にした排紙の位置とずらした位置に排紙する制御をする、さらには、排紙トレイのすべてが使用中である場合、排紙トレイに割り当てられてない送信元の印刷ジョブは待ち状態とし、少なくとも１つの排紙トレイから印刷用紙が取り除かれ所定時間経過すると待ち状態の印刷ジョブを実行するので、結果、送信元毎に排紙トレイが割り当てられることになり、異なる送信元による印刷出力された印刷用紙がまざることがなく、所有者が明確でなくなることがない。
【００１７】
また、本発明によれば、受信した印刷ジョブを所定の条件に従って、他の画像形成装置に振り分け転送するので、当該画像形成装置にかかる負荷を低減できるとともに、印刷ジョブが多数生じた場合の印刷出力の待ち時間を低減することができる。
【発明を実施するための最良の形態】
【００１８】
以下、本発明の実施の形態を、図面を参照して説明する。
図１は、本発明の一実施の形態である画像形成装置の概略構成を示すブロック図である。
本実施の形態の画像形成装置１は、従来の画像形成装置と基本的な構成は同様であり、画像形成部１０、排紙トレイ１０ａ、制御部２０、通信部３０、操作部４０、表示部５０、報知部６０とから概略構成されている。
【００１９】
画像形成部１０は、印刷用紙であるシート材の給紙を行う給紙部、トナー像のシート材への転写処理を行う転写部，シート材に転写されたトナー像の定着処理を行う定着部，及び定着後のシート材の排紙を行う排紙部（いずれも図示せず）を備え、画像形成処理に係る一連の処理を行う。排紙部には、排出されるシート材を受ける排紙トレイ１０ａが複数設けられる。また、各排紙トレイ１０ａには、排紙されたシート材の有無を検出するためのセンサー（図示せず）が設けられており、検出結果を制御部２０に通知する。
【００２０】
制御部２０は、画像形成装置１の各部を制御する。また、この制御部２０は、タイマー２０ａを有しており、このタイマー２０ａからのタイマー割り込みにより現在時刻や、ある時点からの経過時間を計時する。
通信部３０は、印刷ジョブを送信するＰＣ（パーソナルコンピュータ）や、通信ネットワークを介して他の画像形成装置等に接続して印刷ジョブの受信や転送を行う。この通信部３０には、受信データ（印刷ジョブのデータ等）を一時的に記憶するバッファメモリを備えている。
【００２１】
操作部４０は、画像形成装置１に対してユーザにより動作の命令及び設定の入力等が行われるための各種キーやタッチパネル等を備えている。
表示部５０は、画像形成装置１における処理状況や操作部４０より入力された設定情報等の表示を行う表示手段であり、液晶パネルやＬＥＤ（Ｌｉｇｈｔ−Ｅｍｉｔｔｉｎｇ Ｄｉｏｄｅ）等により構成されている。ＬＥＤ（Ｌｉｇｈｔ−Ｅｍｉｔｔｉｎｇ Ｄｉｏｄｅ）等の発光素子を用いる場合、これの点灯や点滅が制御部２０により制御されユーザに注意を促す。
【００２２】
報知部６０は、異常通知やその他ユーザに注意を喚起させるための報知音（ブザー音、メロディ等）を放音する。
なお、この制御部２０はメモリおよびＣＰＵ（中央処理装置）等により構成され、制御部２０の各機能を実現するためのプログラムをメモリにロードして実行することによりその機能が実現されるものとする。また、上記プログラムを記憶する不揮発性のメモリを備えている（いずれも図示せず）。
【００２３】
次に、このように構成された本実施形態の画像形成装置１の特徴的動作について、図２の示す動作フローチャートを参照し説明する。従来の画像形成装置がもつ基本的な動作についてはその説明を省略する。
【００２４】
［印刷ジョブ受信時の動作（図２参照）］
はじめに、画像形成装置１の通信部３０が、外部に接続するホストコンピュータ等から印刷ジョブを受信する（ステップＳ１０１）。受信された印刷ジョブは、通信部３０のバッファに一時保存される。この印刷ジョブには所定の識別子が付けられており、少なくとも送信元を識別することができる。
通信部３０が印刷ジョブを受信すると、制御部２０は、排紙トレイ１０ａの内使用中のもので送信元が同じ排紙トレイ１０ａがあるか否か判断する（ステップＳ１０２）。
【００２５】
ステップＳ１０２の判断で、使用中で送信元が同じ排紙トレイ１０ａがあると判定されると（このステップでＹｅｓの判定）、ステップＳ１０３に移行する。
ステップＳ１０３では、受信した印刷ジョブに基づき印刷用紙に印刷をし、当該送信元用に使用中の排紙トレイ１０ａに排紙する。制御部２０は、先に排紙した位置を一時記憶しており、このとき、先に排紙した位置とはずらした位置に排紙をする。
【００２６】
一方、ステップＳ１０２の判断で、使用中で送信元が同じ排紙トレイ１０ａがないと判定されると（このステップでＮｏの判定）、ステップＳ１０４に移行する。
ステップＳ１０４では、排紙トレイ１０ａの中に空き排紙トレイ（使用されていない排紙トレイ）があるか否か判断する。この判断で、空き排紙トレイがないと判定されると（このステップでＮｏの判定）、ステップＳ１０２に戻り以降の処理を繰り返す。
【００２７】
他方、ステップＳ１０４の判断で、空き排紙トレイがあると判定されると（このステップでＹｅｓの判定）、ステップＳ１０５に移行する。
ステップＳ１０５では、受信した印刷ジョブに基づき印刷用紙に印刷をし、空き排紙トレイに、印刷がされた印刷用紙を排紙する。
【００２８】
［印刷後の動作（図３参照）］
印刷後ある時点で、排紙トレイ１０ａにて、排紙された印刷用紙が取り除かれたことを検出すると、この検出結果が制御部２０に通知され、制御部２０が排紙された印刷用紙の除去を検知する（ステップＳ２０１）。
【００２９】
制御部２０は、排紙された印刷用紙の除去を検知すると、当該印刷用紙が排紙された排紙トレイ１０ａに割り当てられた印刷ジョブに付けられた識別子を元に、これに応じたメッセージを表示部５０に表示する、例えば、この識別子と送信元の情報を対応付けた送信元管理テーブルを設け、これを参照して、対応する送信元の情報を表示部５０に表示するようにしてもよい。この表示とともに、制御部２０は、報知部６０に警告音を放音させ利用者に注意を促す（ステップＳ２０２）。
【００３０】
その後、予め設定されている所定時間が経過したか、ステップＳ２０３にて判断する。
ここで、上記所定時間が経過したとする。すると、ステップＳ２０３にてＹｅｓと判定され、ステップＳ２０４に移行する。
ステップＳ２０４では、当該排紙トレイ１０ａに印刷用紙があるか否か判断する。
【００３１】
当該排紙トレイ１０ａから印刷用紙が取り除かれたままである場合、制御部２０は、先にこの排紙トレイ１０ａから印刷用紙の除去に係る検出結果の通知を受けているので、この排紙トレイ１０ａは用紙無しと判定し（Ｎｏの判定）、一方、先に取り除かれた印刷用紙が所定時間内で元の排紙トレイ１０ａに戻されていれば、この排紙トレイ１０ａが印刷用紙の有無を検出し、印刷用紙が戻された時点で、その検出結果として印刷用紙の存在を制御部２０に通知するので、このステップの判断が可能である。
【００３２】
さて、このステップＳ２０４で、当該排紙トレイ１０ａに用紙無しと判定されると（このステップでＮｏの判定）、ステップＳ２０５に移行する。
ステップＳ２０５では、解除識別子の判定をする。ここでは、解除識別子が入力されかつこの解除識別子が、当該排紙トレイ１０ａに割り当てられた印刷ジョブに対応するものである場合には、“ＯＫ”の判定がなされ、そうでない場合は“ＮＧ”の判定がなされる。この判断で“ＮＧ”の判定がなされると、ステップＳ２０７に移行する。
なお、上記解除識別子は、ユーザにより操作部４０を用いた所定のキー操作等によって入力される。
【００３３】
ステップＳ２０７では、通信部３０に一時記憶され待たされている印刷ジョブ（待ち印刷ジョブ）を実行する。なお、このとき、ステップＳ２０２での表示及び警告音の出力はそのままであり、正当な所有者以外の者が、排紙された印刷用紙を持ち去ったことがわかる。
一方、ステップＳ２０４にて、当該排紙トレイ１０ａに用紙有りと判定されるか（このステップでＹｅｓの判定）、ステップＳ２０５にて、“ＯＫ”の判定がされると、ステップＳ２０６に移行する。
【００３４】
ステップＳ２０６では、制御部２０は、表示部５０における表示及び報知部６０における警告音の放音を元に戻す。すなわち、表示部５０における表示は、印刷用紙が取り除かれる前の表示がなされ、報知部６０による警告音は停止する。このように、第３者による印刷用紙の持ち去りがないか、正当な所有者が印刷用紙を取り除き、解除識別子を入力した場合には、利用者に注意を促すための出力は停止される。
なお、上記で説明した各動作フローは一例であり、上記の処理の流れに限定されるものではない。
【００３５】
以上、この発明の実施形態を、図面を参照して詳述してきたが、具体的な構成はこの実施形態に限られるものではなく、この発明の要旨を逸脱しない範囲の構成等も含まれることは言うまでもない。
【図面の簡単な説明】
【００３６】
【図１】本発明の一実施の形態である画像形成装置の構成例を示すブロック図である。
【図２】同実施の形態における印刷時の動作を説明するフローチャートである。
【図３】同実施の形態における印刷後の動作を説明するフローチャートである。
【符号の説明】
【００３７】
１…画像形成装置
１０…画像形成部
１０ａ…排紙トレイ
２０…制御部
２０ａ…タイマー
３０…通信部
４０…操作部
５０…表示部
６０…報知部
【図１】
2005154111.tif 000003
【図２】
2005154111.tif 000004
【図３】
2005154111.tif 000005